(57)【特許請求の範囲】
【請求項１】
乗場に設けられ、目的場所を指定する情報を入力するための入力装置、
各階のレイアウトの情報及び各階の乗場から各目的場所までの道順の情報を記憶している記憶装置、
この記憶装置に記憶された情報の中から上記入力装置に入力された目的場所に対応する情報を選択する選択回路、
上記乗場に設けられ、上記選択回路で選択された情報を表示する乗場表示装置、及び
上記入力装置により入力された情報に応じて、行先登録用の信号をエレベータ制御装置に出力するとともに、情報選択用の信号を上記選択回路に出力するＣＰＵを備えているエレベータの行先登録装置であって、
上記入力装置は、利用可能な目的場所に対応する情報が登録された情報登録装置に接続されており、
上記入力装置に情報が入力されると、入力された情報に対応する目的場所が上記情報登録装置に登録されているかどうかが確認され、登録されている場合にのみ上記行先登録用の信号が上記ＣＰＵから上記エレベータ制御装置に出力されるとともに、上記情報選択用の信号が上記ＣＰＵから上記選択回路に出力されるエレベータの行先登録装置。
【請求項２】
かご室内に設けられたかご表示装置をさらに備え、上記かご表示装置では、次に着床する階のレイアウトが表示される請求項１記載のエレベータの行先登録装置。
【請求項３】
上記記憶装置には、非常時の各目的場所からの避難経路の情報がさらに記憶されており、上記乗場表示装置では、上記レイアウト、上記道順及び上記避難経路が表示される請求項１記載のエレベータの行先登録装置。
【請求項４】
かご室内に設けられ、目的場所を指定する情報を入力するための入力装置と、この入力装置を操作した乗客に対して画像を表示するかご表示装置とを有するかご操作盤、
各階のレイアウトの情報及び各階の乗場から各目的場所までの道順の情報を記憶している記憶装置、
この記憶装置に記憶された情報の中から上記入力装置に入力された目的場所に対応する情報を選択し上記かご表示装置に表示させる選択回路、及び
上記入力装置により入力された情報に応じて、行先登録用の信号をエレベータ制御装置に出力するとともに、情報選択用の信号を上記選択回路に出力するＣＰＵを備えているエレベータの行先登録装置であって、
上記入力装置は、利用可能な目的場所に対応する情報が登録された情報登録装置に接続されており、
上記入力装置に情報が入力されると、入力された情報に対応する目的場所が上記情報登録装置に登録されているかどうかが確認され、登録されている場合にのみ上記行先登録用の信号が上記ＣＰＵから上記エレベータ制御装置に出力されるとともに、上記情報選択用の信号が上記ＣＰＵから上記選択回路に出力されるエレベータの行先登録装置。
【請求項５】
上記記憶装置には、非常時の各目的場所からの避難経路の情報がさらに記憶されており、上記かご表示装置では、上記レイアウト、上記道順及び上記避難経路が表示される請求項４記載のエレベータの行先登録装置。
【請求項６】
上記入力装置は、テンキー式入力装置である請求項１又は４記載のエレベータの行先登録装置。
【請求項７】
上記入力装置は、磁気カード認識装置である請求項１又は４記載のエレベータの行先登録装置。
【発明の詳細な説明】
技術分野
この発明は、乗場やかごに設けられ、かごの行先を登録するためのエレベータの行先登録装置に関するものである。
背景技術
従来、例えば特開平１０−１９４６１８号公報には、乗場で目的場所を指定することにより、かご室内に設けられたディスプレイに、目的階のレイアウトと目的場所までの道順とが表示されるエレベータの乗場呼登録装置が示されている。
このような装置は、百貨店等に設置されるエレベータに適用されるものであり、目的場所として売場を指定することにより、売場を含む階全体のレイアウトと、かごを降りてから売場までの道順とを利用者がかご内で確認することができる。
しかし、例えばホテルに設けられるエレベータでは、上記の装置をそのまま適用すると、ディスプレイがかご室内の乗客全員に見えるため、かご室内に他人が乗り合わせた場合、目的場所、即ち客室番号や客室の位置が他人にも知られてしまい好ましくない。また、レイアウトや道順はかごが目的階に到着する少し前の短い時間にだけ表示されるので、乗場で目的場所を指定してから目的階に移動するまでの時間が長いと、利用者が表示を見忘れる可能性が高い。
発明の開示
この発明は、上記のような課題を解決するためになされたものであり、目的階のレイアウトや目的場所までの道順を、目的場所を入力した乗客に優先的に示すことができるエレベータの行先登録装置を得ることを目的とする。
この発明によるエレベータの行先登録装置は、乗場に設けられ、目的場所を指定する情報を入力するための入力装置、各階のレイアウトの情報及び各階の乗場から各目的場所までの道順の情報を記憶している記憶装置、この記憶装置に記憶された情報の中から入力装置に入力された目的場所に対応する情報を選択する選択回路、乗場に設けられ選択回路で選択された情報を表示する乗場表示装置、及び入力装置により入力された情報に応じて、行先登録用の信号をエレベータ制御装置に出力するとともに、情報選択用の信号を選択回路に出力するＣＰＵを備えている。
また、この発明による他のエレベータの行先登録装置は、かご室内に設けられ、目的場所を指定する情報を入力するための入力装置と、この入力装置を操作した乗客に対して画像を表示するかご表示装置とを有するかご操作盤、各階のレイアウトの情報及び各階の乗場から各目的場所までの道順の情報を記憶している記憶装置、この記憶装置に記憶された情報の中から入力装置に入力された目的場所に対応する情報を選択し表示装置に表示させる選択回路、及び入力装置により入力された情報に応じて、行先登録用の信号をエレベータ制御装置に出力するとともに、情報選択用の信号を選択回路に出力するＣＰＵを備えている。
発明を実施するための最良の形態
以下、この発明の好適な実施の形態について図面を参照して説明する。
実施の形態１．
図１はこの発明の実施の形態１によるエレベータの乗場を示す正面図であり、ここではホテルに設置されるエレベータについて説明する。図において、乗場には、複数の乗場出入口１が設けられている。各乗場出入口１は、複数の乗場の戸２により開閉される。乗場出入口１の近傍には、対応するかご（図示せず）の移動方向を示す複数の方向灯３が設けられている。また、方向灯３の下方には、乗場操作盤４が配置されている。
図２は図１の乗場操作盤４を示す正面図である。乗場操作盤４には、行先階を指定するための行先階ボタン５、目的場所である客室の番号を入力するためのテンキー式入力装置６、及びテンキー式入力装置６を操作した利用者に対して画像を表示する乗場表示装置７が設けられている。
この例では、宿泊客のみが利用する客室階へのエレベータの運転はテンキー式入力装置６により登録される。また、フロント階やレストラン階等の一般の人も利用する階へのエレベータの運転は、行先階ボタン５により登録される。
図３は実施の形態１による行先登録装置を示すブロック図である。記憶装置８には、各階のレイアウトの情報及び各階の乗場から各目的場所までの道順の情報が記憶されている。記憶装置８に記憶された情報の中から、行先階ボタン５やテンキー式入力装置６に入力された目的場所に対応する情報が選択回路９により選択され、乗場表示装置７に表示される。
行先階ボタン５及びテンキー式入力装置６からの信号は、ＣＰＵ１０に入力される。ＣＰＵ１０は、入力された情報に応じて、行先登録用の信号をエレベータ制御装置１１に出力する。また、ＣＰＵ１０は、情報選択用の信号を選択回路９に出力する。テンキー式入力装置６は、利用可能な客室番号が登録されている客室情報登録装置１２に接続されている。
実施の形態１による行先登録装置１３は、行先階ボタン５、テンキー式入力装置６、乗場表示装置７、記憶装置８、選択回路９及びＣＰＵ１０を有している。
次に、動作について説明する。図４は図３の行先登録装置１３の制御方法を示すフローチャートである。まず、待機時には、例えば「行先を登録してください」等の入力待ちメッセージや、建物内のイベント情報などの表示内容が乗場表示装置７に表示されている（ステップＳ１）。そして、行先階ボタン５が押されたかどうか（ステップＳ２）、テンキー式入力装置６に客室番号が入力されたかどうか（ステップＳ３）が常時確認される。行先階ボタン５及びテンキー式入力装置６のいずれにも入力がなければ、待機時の表示が続けられる。
また、行先階ボタン５が押されると、エレベータ制御装置１１に呼びが登録され、入力された階が行先階としてエレベータ制御装置１１に仮登録され、乗場表示装置７には入力された階のレイアウトが表示される（ステップＳ４）。
図５は図２の行先階ボタン５が押されたときの乗場表示装置７での表示内容の一例を示す正面図である。図５では、レストラン階のレイアウトが乗場表示装置７に表示されている。このようなレイアウトの表示は、選択回路９内のタイマー回路に予め設定された時間だけ行われ（ステップＳ５）、設定時間が経過した後には、乗場表示装置７での表示は待機中の内容に戻される。
一方、テンキー式入力装置６に客室番号が入力された場合、入力された客室番号が客室情報登録装置１２に登録されているかどうかが確認される（ステップＳ６）。登録されていなかった場合、入力された番号の客室は利用不可であると判断され、乗場表示装置７にはエラーメッセージが表示される（ステップＳ７）。そして、呼び登録が拒否され、待機状態に戻される。
入力された客室番号が客室情報登録装置１２に登録されていた場合、エレベータ制御装置１１に呼びが登録され、入力された客室番号のある階が行先階としてエレベータ制御装置１１に仮登録され、乗場表示装置７には対応する階のレイアウトと、目的場所である客室までの道順が表示される（ステップＳ８）。
図６は図２のテンキー式入力装置６が操作されたときの乗場表示装置７での表示内容の一例を示す正面図である。このようなレイアウト及び道順の表示は、予め設定された時間だけ行われ（ステップＳ５）、設定時間が経過した後には、乗場表示装置７での表示は待機中の内容に戻される。
次に、図７は図３のエレベータ制御装置１１の制御方法を示すフローチャートである。エレベータ制御装置１１では、ＣＰＵ１０からの呼び登録があったかどうかが常時確認される（ステップＳ１１）。そして、呼びが登録された場合、行先階が仮登録されたかどうかが確認される（ステップＳ１２）。呼びが登録され、行先階が仮登録されると、呼び登録が入力された階にかごを移動させ（ステップＳ１３）、乗場の戸２及びかごの戸（図示せず）を開く（ステップＳ１４）。
戸開後、予め設定された時間が経過すると（ステップＳ１５）、乗場の戸２及びかごの戸が閉じられる（ステップＳ１６）。この後、行先階が登録され（ステップＳ１７）、行先階へかごを移動させる（ステップＳ１８）。かごが行先階に到着し着床した後、乗場の戸２及びかごの戸を開く（ステップＳ１９）。戸開後、予め設定された時間が経過すると（ステップＳ２０）、乗場の戸２及びかごの戸が閉じられる（ステップＳ２１）。
上記のようなエレベータの行先登録装置では、乗場操作盤４に設けられたテンキー式入力装置６に客室番号を入力することにより、同じ乗場操作盤４の乗場表示装置７に目的階のレイアウトと客室までの道順とが表示されるので、他の利用者に表示内容を見られずに済む。また、客室番号を入力すると、すぐにレイアウトや道順が表示されるため、表示を見忘れる恐れがない。
また、テンキー式入力装置６が客室情報登録装置１２に接続されており、入力された客室番号が利用可能な番号であるかどうかが確認されるため、外部の人間がテンキー式入力装置６を操作して勝手に客室階に侵入するのを抑止することができる。
実施の形態２．
次に、図８はこの発明の実施の形態２による行先登録装置の乗場操作盤を示す正面図、図９は実施の形態２による行先登録装置を示すブロック図である。実施の形態２では、乗場操作盤２１に入力装置としての磁気カード認識装置２２が用いられている。磁気カード認識装置２２は、利用者が持っている磁気カード（図示せず）の磁気データを読み取る装置である。磁気カードは、ホテルの客室番号等の情報が記録されたものであり、客室のカギとしても使用される。
磁気カード認識装置２２は、利用可能な客室番号に対応する磁気カードの情報が登録されている磁気カード登録装置２３に接続されている。
実施の形態２による行先登録装置２４は、行先階ボタン５、磁気カード認識装置２２、乗場表示装置７、記憶装置８、選択回路９及びＣＰＵ１０を有している。他の構成は、実施の形態１と同様である。
図１０は図９の行先登録装置２４の制御方法を示すフローチャートである。待機状態では、行先階ボタン５が押されたかどうか（ステップＳ２）、磁気カード認識装置２２に磁気カードが挿入されたかどうか（ステップＳ９）が常時確認される。そして、磁気カード認識装置２２に磁気カードが挿入された場合、挿入されたカードが磁気カード登録装置２３に登録されているかどうかが確認される（ステップＳ１０）。他の制御方法は、実施の形態１と同様である。
このように、入力装置として磁気カード認識装置２２を用いても、実施の形態１と同様の効果が得られる。また、テンキー式入力装置６を用いた場合、誰にでも操作が可能であるが、磁気カードは特定の人しか持っていないため、セキュリティを向上させることができる。
実施の形態３．
図１１はこの発明の実施の形態３による行先登録装置を示すブロック図である。図において、かご操作盤３１は、かご室（図示せず）内に設けられている。また、かご操作盤３１は、図２と同様の構成であり、行先階ボタン５、テンキー式入力装置６及びかご表示装置３２を有している。実施の形態３による行先登録装置３３は、行先階ボタン５、テンキー式入力装置６、かご表示装置３２、記憶装置８、選択回路９及びＣＰＵ１０を有している。他の構成は、実施の形態１と同様である。
次に、動作について説明する。図１２は図１１の行先登録装置３３の制御方法を示すフローチャートである。まず、待機時には、例えば「行先を登録してください」等の入力待ちメッセージや、建物内のイベント情報などの表示内容がかご表示装置３２に表示されている（ステップＳ３１）。そして、行先階ボタン５が押されたかどうか（ステップＳ３２）、テンキー式入力装置６に客室番号が入力されたかどうか（ステップＳ３３）が常時確認される。行先階ボタン５及びテンキー式入力装置６のいずれにも入力がなければ、待機時の表示が続けられる。
また、行先階ボタン５が押されると、入力された階が行先階としてエレベータ制御装置１１に登録され、かご表示装置３２には入力された階のレイアウトが表示される（ステップＳ３４）。レイアウトの表示は、選択回路９内のタイマー回路に予め設定された時間だけ行われ（ステップＳ３５）、設定時間が経過した後には、かご表示装置３２での表示は待機中の内容に戻される。
一方、テンキー式入力装置６に客室番号が入力された場合、入力された客室番号が客室情報登録装置１２に登録されているかどうかが確認される（ステップＳ３６）。登録されていなかった場合、入力された番号の客室は利用不可であると判断され、かご表示装置３２にはエラーメッセージが表示される（ステップＳ３７）。そして、呼び登録が拒否され、待機状態に戻される。
入力された客室番号が客室情報登録装置１２に登録されていた場合、入力された客室番号のある階が行先階としてエレベータ制御装置１１に登録され、かご表示装置３２には対応する階のレイアウトと、目的場所である客室までの道順が表示される（ステップＳ３８）。レイアウト及び道順の表示は、予め設定された時間だけ行われ（ステップＳ３５）、設定時間が経過した後には、かご表示装置３２での表示は待機中の内容に戻される。
ここで、実施の形態１、２では、呼び登録が入力された階にかごが到着した後にエレベータ制御装置１１への行先階登録が行われたが、実施の形態３では、利用者がかごに乗り込んだ後に呼び登録を入力するため、入力直後に行先階登録が行われる。
このように、かご操作盤３１にテンキー式入力装置６とかご表示装置３２とを設けた場合にも、他の乗客にはかご表示装置３２が見にくいため、目的階のレイアウト及び客室までの道順を、客室番号を入力した利用者に優先的に見せることができる。
また、実施の形態１、２では、各乗場に乗場操作盤４，２１を設ける必要があったが、実施の形態３では、各乗場には呼びボタンだけを設け、かご操作盤３１はかご室内に１つ設けるだけでよいため、コストを低減することができる。
実施の形態４．
図１３はこの発明の実施の形態４による行先登録装置を示すブロック図である。実施の形態４では、かご操作盤３４に入力装置としての磁気カード認識装置２２が用いられている。磁気カード認識装置２２は、磁気カード登録装置２３に接続されている。
実施の形態４による行先登録装置３５は、行先階ボタン５、磁気カード認識装置２２、かご表示装置３２、記憶装置８、選択回路９及びＣＰＵ１０を有している。他の構成は、実施の形態３と同様である。
図１４は図１３の行先登録装置３５の制御方法を示すフローチャートである。待機状態では、行先階ボタン５が押されたかどうか（ステップＳ３２）、磁気カード認識装置２２に磁気カードが挿入されたかどうか（ステップＳ３９）が常時確認される。そして、磁気カード認識装置２２に磁気カードが挿入された場合、挿入されたカードが磁気カード登録装置２３に登録されているかどうかが確認される（ステップＳ４０）。他の制御方法は、実施の形態３と同様である。
このように、入力装置として磁気カード認識装置２２を用いても、実施の形態３と同様の効果が得られる。また、テンキー式入力装置６を用いた場合に比べて、セキュリティを向上させることができる。
実施の形態５．
次に、図１５はこの発明の実施の形態５による行先登録装置の要部を示すブロック図である。図において、かご室壁４０には、かご表示装置４１が設けられている。エレベータ制御装置１１には、各階のレイアウトが記憶された階床情報記憶装置４２と、この階床情報記憶装置４２から必要な情報を選択してかご表示装置４１に表示させる階床情報選択装置４３とが設けられている。
実施の形態５による行先登録装置は、実施の形態１又は２の構成に加えて、かご表示装置４１、階床情報記憶装置４２及び階床情報選択装置４３をさらに有している。
図１６は図１５のエレベータ制御装置の制御方法を示すフローチャートである。基本的な制御方法は、実施の形態１（図８）と同様である。実施の形態５では、行先階へかごを移動させているとき、次の停止階が階床情報記憶装置４２に登録されているかどうかが確認される（ステップＳ２２）。登録されていなければ、実施の形態１と同様である。
次の停止階が登録されていた場合、かご表示装置４１に次の停止階のレイアウトが表示される（ステップＳ２３）。このとき、乗場表示装置７に表示したような目的場所への道順は表示されない。かご表示装置４１のレイアウト表示は、かごの着床及び戸開後に消灯される（ステップＳ２５）。その後の制御は、実施の形態１と同様である。
このように、実施の形態５では、乗場表示装置７での表示に加えて、かご表示装置４１でも目的階のレイアウトが表示されるため、乗場で確認した目的場所までの道順を利用者が頭の中で再確認することができる。また、かご表示装置４１には道順は表示されないため、他人に目的場所を知られる恐れはない。
なお、上記の実施の形態では、乗場表示装置又はかご表示装置に目的階のレイアウトや目的場所への道順が表示されるが、目的場所からの避難経路などをさらに表示させてもよい。
また、入力装置は、テンキー式入力装置や磁気カード認識装置に限定されるものではなく、他のあらゆる入力装置を使用することができる。
さらに、上記の実施の形態では、ホテルに設置されるエレベータの行先登録装置について説明したが、例えば集合住宅や百貨店など、他の建物に設置されるエレベータにもこの発明は適用できる。
【図面の簡単な説明】
図１はこの発明の実施の形態１によるエレベータの乗場を示す正面図、
図２は図１の乗場操作盤を示す正面図、
図３は実施の形態１による行先登録装置を示すブロック図、
図４は図３の行先登録装置の制御方法を示すフローチャート、
図５は図２の行先階ボタンが押されたときの乗場表示装置での表示内容の一例を示す正面図、
図６は図２のテンキー式入力装置が操作されたときの乗場表示装置での表示内容の一例を示す正面図、
図７は図３のエレベータ制御装置の制御方法を示すフローチャート、
図８はこの発明の実施の形態２による行先登録装置の乗場操作盤を示す正面図、
図９は実施の形態２による行先登録装置を示すブロック図、
図１０は図９の行先登録装置の制御方法を示すフローチャート、
図１１はこの発明の実施の形態３による行先登録装置を示すブロック図、
図１２は図１１の行先登録装置の制御方法を示すフローチャート、
図１３はこの発明の実施の形態４による行先登録装置を示すブロック図、
図１４は図１３の行先登録装置の制御方法を示すフローチャート、
図１５はこの発明の実施の形態５による行先登録装置の要部を示すブロック図、
図１６は図１５のエレベータ制御装置の制御方法を示すフローチャートである。
【図１】
0004754765.tif 000002
【図２】
0004754765.tif 000003
【図３】
0004754765.tif 000004
【図４】
0004754765.tif 000005
【図５】
0004754765.tif 000006
【図６】
0004754765.tif 000007
【図７】
0004754765.tif 000008
【図８】
0004754765.tif 000009
【図９】
0004754765.tif 000010
【図１０】
0004754765.tif 000011
【図１１】
0004754765.tif 000012
【図１２】
0004754765.tif 000013
【図１３】
0004754765.tif 000014
【図１４】
0004754765.tif 000015
【図１５】
0004754765.tif 000016
【図１６】
0004754765.tif 000017